(57)【要約】【課題】スイッチの操作を有効にするか無効にするかを簡単な操作で変更することが可能な遠隔監視制御システムを提供する。【解決手段】優先度設定端末器８は、各操作端末器４，７が備えるスイッチＢ11〜Ｂ14，Ｓ11〜Ｓ14に予め割り当てた優先度のうち、操作が有効な優先度と有効でない優先度の閾値を伝送ユニット１に対して設定する。操作用端末器４，７は、スイッチＢ11〜Ｂ14，Ｓ11〜Ｓ14が操作されると、当該スイッチＢ11〜Ｂ14，Ｓ11〜Ｓ14の操作データと共にその優先度を監視データとして伝送ユニット１に送信する。伝送ユニット１は、操作用端末器４，７から監視データを受信すると、監視データに含まれる優先度と優先度設定端末器８により設定された閾値との高低に基づいて操作データが有効か否かを判定し、有効と判定した場合のみ操作データに基づいて作成した制御データを対応する制御用端末器２Ｎに伝送する。【選択図】図１
2010010973.tif 000002
【特許請求の範囲】
【請求項１】
伝送ユニットに、固有のアドレスが設定されスイッチの操作状態を監視する操作用端末器と、固有のアドレスが設定され負荷の動作を制御する制御用端末器とが２線式の伝送線を介して接続され、伝送ユニットからアドレスデータを含む伝送信号を上記伝送線に時分割多重で送出することによって各端末器が個別にアクセスされ、伝送ユニットは、伝送信号に同期して設定された信号返送期間に操作用端末器からの監視データを受信すると、監視データに基づいて制御データを作成し、監視データを発生した操作用端末器に対応する制御用端末器に制御データを上記伝送信号により伝送し、当該制御用端末器では受信した制御データにより負荷の動作を制御する遠隔監視制御システムであって、
各スイッチに割り当てた優先度のうち操作が有効な優先度を示す優先度設定情報を伝送ユニットに設定するための優先度設定端末器が伝送線を介して伝送ユニットに接続され、
操作用端末器は、スイッチが操作されると、当該スイッチの操作データと共に当該スイッチの優先度を監視データとして伝送ユニットに送信し、伝送ユニットは、操作用端末器から監視データを受信すると、監視データに含まれる優先度と前記優先度設定情報とに基づいて操作データが有効か否かを判定し、有効と判定した場合のみ操作データに基づいて作成した制御データを対応する制御用端末器に伝送することを特徴とする遠隔監視制御システム。
【請求項２】
伝送ユニットに、固有のアドレスが設定されスイッチの操作状態を監視する操作用端末器と、固有のアドレスが設定され負荷の動作を制御する制御用端末器とが２線式の伝送線を介して接続され、伝送ユニットからアドレスデータを含む伝送信号を上記伝送線に時分割多重で送出することによって各端末器が個別にアクセスされ、伝送ユニットは、伝送信号に同期して設定された信号返送期間に操作用端末器からの監視データを受信すると、監視データに基づいて制御データを作成し、監視データを発生した操作用端末器に対応する制御用端末器に制御データを上記伝送信号により伝送し、当該制御用端末器では受信した制御データにより負荷の動作を制御する遠隔監視制御システムであって、
各スイッチに割り当てた優先度のうち操作が有効な優先度を示す優先度設定情報を伝送ユニットに設定するための優先度設定端末器が伝送線を介して伝送ユニットに接続され、
伝送ユニットは、優先度設定情報を含めた伝送信号を伝送線に定期的に送出し、
操作用端末器は、スイッチが操作されると、当該スイッチに設定された優先度を、伝送ユニットから送出された伝送信号に含まれる優先度設定情報と比較し、操作が有効な場合のみ操作データを監視データとして伝送ユニットに送信することを特徴とする遠隔監視制御システム。
【発明の詳細な説明】
【技術分野】
【０００１】
本発明は、遠隔監視制御システムに関するものである。
【背景技術】
【０００２】
従来、例えば駅やショッピングセンターなどの施設において、施設内の共用部分に設置される照明負荷を、この照明負荷の設置場所付近に設けた操作スイッチと、例えば防災センターにある操作スイッチの両方でオン／オフできるようにした遠隔監視制御システムが提供されている。
【０００３】
図５はこのような遠隔監視制御システムのシステム構成図であり、このシステムは、防災センターＢ内に設置された伝送ユニット１に、共用部ＡＮ（Ｎ＝１…ｎ、以下同じ）毎に設けたローカル分電盤ＣＮ（Ｎ＝１…ｎ、以下同じ）内にそれぞれ設置され、対応する共用部ＡＮの照明負荷ＬN1〜ＬN4（Ｎ＝１…ｎ、以下同じ）の点灯／消灯をそれぞれ制御するＮ台の制御用端末器２Ｎ（Ｎ＝１…ｎ、以下同じ）と、防災センターＢ内に設けられ、対応する共用部ＡＮの照明負荷ＬN1〜ＬN4をオン／オフさせるスイッチＳN1〜ＳN4（Ｎ＝１…ｎ、以下同じ）の操作を監視する操作用端末器３Ｎ（Ｎ＝１…ｎ、以下同じ）とを２線式の伝送線Ｌｓ１を介して接続してある。
【０００４】
ここにおいて、制御用端末器２Ｎ及び操作用端末器３Ｎには固有のアドレスが割り当てられ、伝送ユニット１からアドレスデータを含む伝送信号を伝送線Ｌｓ１に時分割多重で送出することによって各端末器２Ｎ，３Ｎが個別にアクセスされ、伝送ユニット１は、伝送信号に同期して設定された信号返送期間に操作用端末器３Ｎからの監視データを受信すると、監視データに基づいて制御データを作成し、監視データを発生した操作用端末器３Ｎに対応する制御用端末器２Ｎに制御データを上記伝送信号により伝送し、当該制御用端末器２Ｎでは受信した制御データにより負荷（照明負荷ＬN1〜ＬN4）の動作を制御している。
【０００５】
また図５に示すシステムでは、各々の共用部ＡＮで照明負荷ＬN1〜ＬN4を操作できるよう、同じ共用部ＡＮにある照明負荷ＬN1〜ＬN4をオン／オフさせるスイッチＢN1〜ＢN4（Ｎ＝１…ｎ、以下同じ）の操作を監視する操作用端末器４Ｎ（Ｎ＝１…ｎ、以下同じ）を各共用部ＡＮに設置するとともに、各共用部ＡＮの操作用端末器４Ｎが伝送線Ｌｓ２を介して接続されたロック用端末器５と、スイッチ６ａの操作を監視するロック操作用端末器６とを伝送線Ｌｓ１を介して伝送ユニット１に接続してある。ロック用端末器５及びロック操作用端末器６には固有のアドレスが割り当てられており、端末器２Ｎ，３Ｎと同様、伝送ユニット１から個別にアクセスできるようになっている。そして、ロック操作用端末器６のスイッチ６ａが操作されると、後述する割込処理を経てロック操作用端末器６から伝送ユニット１にスイッチ６ａの操作データが監視データとして返送され、この監視データに基づいて伝送ユニット１が制御データを作成し、対応するロック用端末器５に制御データを送信することで、ロック用端末器５が内蔵するリレー（図示せず）をオン又はオフさせ、伝送線Ｌｓ２を伝送線Ｌｓ１と電気的に導通させるか又は非導通とするかを切り替えている。
【０００６】
ここで、例えば営業時間外にはロック操作用端末器６のスイッチ６ａをオン操作し、ロック用端末器５を介して伝送線Ｌｓ２を伝送線Ｌｓ１と電気的に接続させることによって、各共用部ＡＮの操作用端末器４Ｎが伝送線Ｌｓ２，Ｌｓ１を介して伝送ユニット１に接続されるので、各々の共用部ＡＮで従業員などが操作用端末器４Ｎを用いて同じ共用部ＡＮに設置された照明負荷ＬN1〜ＬN4をオン／オフさせることができる。一方、営業時間中は共用部分の照明負荷ＬN1〜ＬN4が誤って消灯されたり、悪戯などで消灯されないよう、ロック操作用端末器６のスイッチ６ａをオフ操作しており、この場合はロック用端末器５によって伝送線Ｌｓ２と伝送線Ｌｓ１との間が非導通状態に切り替えられるから、共用部ＡＮの操作用端末器４Ｎにより照明負荷ＬN1〜ＬN4が勝手に消灯又は点灯されるのを防止できるようになっている。ここにおいて、ロック用端末器５を用いて各共用部ＡＮの操作用端末器４Ｎによる操作を無効とした状態をロック状態と言う。
【０００７】
また、図５に示す遠隔監視制御システムにおいて、通常時はスイッチ操作に応じて各共用部ＡＮの制御用端末器２Ｎが共用部分に設置された照明負荷及び換気扇のオン／オフを制御するとともに、防災情報に連動して照明負荷や換気扇を所定の動作状態に切り替えるようにしたシステムも従来提供されていた。すなわち火災発生時には各共用部ＡＮの照明負荷を点灯させるとともに、煙が充満するのを防止するために換気扇を強制的に停止させ、各共用部ＡＮの操作用端末器４Ｎによる操作を無効として、照明負荷が勝手に消灯させられたり、換気扇による換気が行われたりするのを防止していた。
【０００８】
尚、図５のシステムでは１台のロック用端末器５で各共用部ＡＮに設置された複数台の操作用端末器４Ｎのロック状態／非ロック状態を一括して切り替えているが、例えば図６に示すように事業所などで各部署ＤＮ（Ｎ＝１…ｎ、以下同じ）に設置された照明負荷ＬN1〜ＬN4（Ｎ＝１…ｎ、以下同じ）を点灯又は照明させるために、各々の部署ＤＮに操作用端末器４Ｎ（Ｎ＝１…ｎ、以下同じ）を設置するとともに、各部署ＤＮの操作用端末器４Ｎに対応してロック用端末器５Ｎ（Ｎ＝１…ｎ、以下同じ）及びロック操作用端末器６Ｎ（Ｎ＝１…ｎ、以下同じ）を設け、ロック操作用端末器６Ｎを用いて、個々の部署毎に操作用端末器４Ｎによる操作を有効にするか、無効にするかを切り替えるシステムもあった。このシステムでは、残業を減らす目的で、予め残業申請がされていない部署では、営業時間後に照明負荷ＬＮを強制的に消灯させるとともに、当該部署に対応するロック操作用端末器６Ｎのスイッチ６ａをオフ操作して、ロック用端末器５Ｎによりロック状態に切り替え、当該部署の操作用端末器４Ｎを操作できないようにしている。
【０００９】
上述の遠隔監視制御システムでは、各共用部ＡＮ或いは各部署ＤＮに設置された照明負荷ＬN1〜ＬN4を、各共用部ＡＮ或いは各部署ＤＮでオン／オフする操作用端末器４Ｎの操作を有効或いは無効に切り替えるために、伝送ユニット１に接続するための伝送線Ｌｓ１とは別の伝送線Ｌｓ２を介してロック用端末器５，５Ｎに接続しているため、配線の手間がかかり、操作用端末器４Ｎを増設する際には配線経路を検討する必要があるので、施工性が悪かった。
【００１０】
そこで、上記システムのように配線を分けなくても、所定の操作用端末器による操作を無効にできるシステムとして、特許文献１に示されるようなシステムが従来提案されていた。このシステムでは被制御機器を制御する手元リモコンと、テナントリモコンと、フロアリモコンとが通信線を介して接続され、手元リモコンとテナントリモコンとフロアリモコンとに異なる優先度が設定されていた。手元リモコンには、機器を制御する優先度を表す禁止強度を記憶するための禁止強度記憶部が設けられており、テナントリモコン及びフロアリモコンから手元リモコンに対して禁止強度を設定するための操作禁止信号が送信されると、操作禁止信号に含まれる禁止強度が禁止強度記憶部に設定される。その後、手元リモコンでは、テナントリモコンやフロアリモコンから操作指令が入力された場合や、自身の操作により操作指令を発生した場合、操作指令の優先度を示す指令強度と禁止強度とを比較し、指令強度が禁止強度と等しいか又は大きい場合のみ操作指令に応じて被制御機器を制御できるようになっていた。したがって、このシステムでは手元リモコンの禁止強度記憶部に記憶される禁止強度を変更することによって、各階層のリモコンでの操作を禁止したり、許可したりすることが可能であった。
【特許文献１】特許第２５５２０２２号公報
【発明の開示】
【発明が解決しようとする課題】
【００１１】
上述の制御システムでは、手元リモコンの禁止強度記憶部に記憶される禁止強度を変更することによって、各階層のリモコンでの操作を禁止したり、許可したりすることが可能となるが、大規模なシステムでは手元リモコンの数が膨大になるため、例えば営業時間内と営業時間外とでリモコン操作を許可する階層を変更する場合のように、禁止強度を頻繁に変更する場合は禁止強度を変更する手間がかかり、使い勝手が悪いという問題があった。
【００１２】
本発明は上記問題点に鑑みて為されたものであり、その目的とするところは、スイッチの操作を有効にするか無効にするかを簡単な操作で変更することが可能な遠隔監視制御システムを提供することにある。
【課題を解決するための手段】
【００１３】
上記目的を達成するために、請求項１の発明は、伝送ユニットに、固有のアドレスが設定されスイッチの操作状態を監視する操作用端末器と、固有のアドレスが設定され負荷の動作を制御する制御用端末器とが２線式の伝送線を介して接続され、伝送ユニットからアドレスデータを含む伝送信号を上記伝送線に時分割多重で送出することによって各端末器が個別にアクセスされ、伝送ユニットは、伝送信号に同期して設定された信号返送期間に操作用端末器からの監視データを受信すると、監視データに基づいて制御データを作成し、監視データを発生した操作用端末器に対応する制御用端末器に制御データを上記伝送信号により伝送し、当該制御用端末器では受信した制御データにより負荷の動作を制御する遠隔監視制御システムであって、各スイッチに予め割り当てた優先度のうち操作が有効な優先度を示す優先度設定情報を伝送ユニットに設定するための優先度設定端末器が伝送線を介して伝送ユニットに接続され、操作用端末器は、スイッチが操作されると、当該スイッチの操作データと共に当該スイッチの優先度を監視データとして伝送ユニットに送信し、伝送ユニットは、操作用端末器から監視データを受信すると、監視データに含まれる優先度と前記優先度設定情報とに基づいて操作データが有効か否かを判定し、有効と判定した場合のみ操作データに基づいて作成した制御データを対応する制御用端末器に伝送することを特徴とする。
【００１４】
請求項２の発明は、伝送ユニットに、固有のアドレスが設定されスイッチの操作状態を監視する操作用端末器と、固有のアドレスが設定され負荷の動作を制御する制御用端末器とが２線式の伝送線を介して接続され、伝送ユニットからアドレスデータを含む伝送信号を上記伝送線に時分割多重で送出することによって各端末器が個別にアクセスされ、伝送ユニットは、伝送信号に同期して設定された信号返送期間に操作用端末器からの監視データを受信すると、監視データに基づいて制御データを作成し、監視データを発生した操作用端末器に対応する制御用端末器に制御データを上記伝送信号により伝送し、当該制御用端末器では受信した制御データにより負荷の動作を制御する遠隔監視制御システムであって、各スイッチに予め割り当てた優先度のうち操作が有効な優先度を示す優先度設定情報を伝送ユニットに設定するための優先度設定端末器が伝送線を介して伝送ユニットに接続され、伝送ユニットは、優先度設定情報を含めた伝送信号を伝送線に定期的に送出し、
操作用端末器は、スイッチが操作されると、当該スイッチに設定された優先度を、伝送ユニットから送出された伝送信号に含まれる優先度設定情報と比較し、操作が有効な場合のみ操作データに監視データとして伝送ユニットに送信することを特徴とする。
【発明の効果】
【００１５】
請求項１の発明によれば、優先度設定端末器を用いて伝送ユニットに優先度設定情報を設定するだけで、伝送ユニットに接続される全ての操作用端末器についてスイッチ操作を有効にするか無効にするかを切り替えることができるので、各々の操作用端末器或いは制御用端末器に対してスイッチ操作を有効にするか否かを設定しなくても済み、使い勝手が向上するという効果がある。また、スイッチ操作の有効／無効を切り替えたい操作用端末器も他の端末器とともに同じ伝送線に接続されるので、配線を分ける必要が無く、施工の手間を低減することも可能である。
【００１６】
請求項２の発明によれば、優先度設定端末器を用いて伝送ユニットに優先度設定情報を設定するだけで、伝送ユニットに接続される全ての操作用端末器についてスイッチ操作が有効か否かを切り替えることができるので、各々の操作用端末器或いは制御用端末器に対してスイッチ操作を有効にするか否かを設定しなくても済み、使い勝手が向上するという効果がある。また、スイッチ操作の有効／無効を切り替えたい操作用端末器も他の端末器とともに同じ伝送線に接続されるので、配線を分ける必要が無く、施工の手間を低減することも可能である。さらに操作用端末器では、スイッチに設定された優先度と、伝送ユニットから送られる優先度設定情報とを比較して操作が有効と判断した場合のみ伝送ユニットに監視データを返送しているので、操作が無効な場合はスイッチが操作されても監視データを伝送ユニットに送信しないから、無駄な通信を無くして伝送ユニットの負荷を軽減できるとともに、伝送ユニットの負荷を軽減できるとともに、通信トラフィックの増加を抑制することができる。
【発明を実施するための最良の形態】
【００１７】
以下に本発明の実施の形態を図面に基づいて説明する。
【００１８】
（実施形態１）
本発明の実施形態１を図１及び図２に基づいて説明する。本実施形態の遠隔監視制御システムは、オフィスビルなどで部署毎に設置された照明負荷の制御及び監視を行うシステムであり、伝送ユニット１に、スイッチの操作状態をそれぞれ監視する操作用端末器４，７と、部署ＤＮ（Ｎ＝１…ｎ、以下同じ）毎に設けた分電盤ＣＮ（Ｎ＝１…ｎ、以下同じ）内にそれぞれ設置され、対応する部署ＤＮの照明負荷ＬN1〜ＬN4（Ｎ＝１…ｎ、以下同じ）の点灯／消灯をそれぞれ制御する複数台の制御用端末器２Ｎ（Ｎ＝１…ｎ、以下同じ）と、操作用端末器４，７のスイッチに予め割り当てた優先度のうち操作が有効な優先度を示す優先度設定情報（例えば操作が有効な優先度と操作が無効な優先度の閾値）を伝送ユニット１に設定するための優先度設定端末器８とを２線式の伝送線Ｌｓ１を介して接続してある。
【００１９】
操作用端末器４は、任意の部署ＤＮに設置されて、同じ部署に設置された照明負荷ＬN1〜ＬN4をオン／オフするための操作スイッチＢ11〜Ｂ14の操作状態を監視する端末器である。
【００２０】
操作用端末器７は、例えば防災センターに設置されて通常時や火災などの緊急時に使用される操作用端末器であり、所定の照明負荷ＬN1〜ＬN4をオン／オフするための操作スイッチＳ11〜Ｓ14の操作状態を監視する。
【００２１】
ここにおいて、各端末器２Ｎ，４，７には固有のアドレスが設定されており、伝送ユニット１はアドレスによって各端末器２Ｎ，４，７を個別に認識する。また制御用端末器２Ｎは、対応する照明負荷ＬN1〜ＬN4への電力供給をそれぞれオン／オフする内部リレー（図示せず）を４個備え、個々の内部リレーに１〜４までの負荷番号を設定してある。すなわち制御用端末器２Ｎに割り当てたアドレス（端末器アドレス）に対して４個の負荷番号を割り当てることができ、アドレスと負荷番号とを組み合わせた負荷識別アドレスによって、個々の内部リレーを特定し、内部リレーを個別にオン／オフできるようになっている。一方、操作用端末器４，７がそれぞれ備える４個の操作スイッチにも１〜４までの負荷番号が割り当てられており、操作用端末器４，７に割り当てたアドレス（端末器アドレス）と、各操作スイッチに割り当てた負荷番号とで負荷識別アドレスを構成してある。而して、各スイッチの負荷識別アドレスを対応する照明負荷ＬN1〜ＬN4の負荷識別アドレスに対応付けて設定することにより、操作用端末器４，７が備える４つのスイッチで、夫々対応する制御用端末器２Ｎの４個の内部リレーをオン／オフ駆動し、対応する照明負荷ＬN1〜ＬN4を点灯又は消灯させることができる。
【００２２】
また、従来周知のワイヤレス設定器９を用いて各操作用端末器４，７のスイッチに優先度が設定されており、任意の部署用の操作用端末器４では、表１に示すように個別スイッチＢ11〜Ｂ14に対してアドレス（負荷番号）１〜４が割り当てられ、各スイッチの優先度は「通常」に設定されている。また緊急用の操作用端末器７では、表２に示すように個別スイッチＳ11〜Ｓ14に対してアドレス（負荷番号）１〜４が割り当てられ、各スイッチの優先度は「１」に、解除条件は「ＯＦＦ」に設定されている。尚、優先度は通常に設定された場合が最も優先度合いが低く、その値が大きいほど優先度合いが高くなっている。また、解除条件とは優先度の設定を無効にする操作（ＯＮ操作又はＯＦＦ操作）を示し、例えばスイッチの優先度が「１」で解除条件として「ＯＦＦ」が設定されている場合は、スイッチのＯＮ操作に対しては優先度が「１」に設定されるのに対して、ＯＦＦ操作に対しては優先度が「通常」となるので、伝送ユニット１に優先度の閾値として「１」が設定されている場合はＯＮ操作のみ有効となる。
【００２３】
【表１】
2010010973.tif 000003
【００２４】
【表２】
2010010973.tif 000004
【００２５】
ここで、伝送ユニット１は伝送線Ｌｓ１に対して、図２（ａ）に示すフォーマットの時分割多重伝送信号（以下伝送信号と言う）Ｖｓを送出する。すなわち、信号の送出開始を示すスタートパルスＳＴ、信号のモードを示すモードデータＭＤ、端末器２Ｎ，４，７を各別に呼び出すためのアドレスデータＡＤ、負荷（すなわち照明負荷ＬN1〜ＬN4）を制御する制御データＣＤ、伝送誤りを検出するチェックサムデータのようなエラー訂正符号ＣＳ、端末器２Ｎ，４，７からの返送期間を設定する信号返送期間ＷＴよりなる双極性（±２４Ｖ）の時分割多重信号であり、パルス幅変調によってデータが伝送されるようになっている（図２（ａ）参照）。各端末器２Ｎ，４，７では、伝送線Ｌｓ１を介して受信した伝送信号ＶｓのアドレスデータＡＤに含まれるアドレスがあらかじめ設定されているアドレスと一致したときに、その伝送信号Ｖｓの制御データＣＤを取り込むとともに、伝送信号Ｖｓの信号返送期間ＷＴに同期して監視データを電流モード信号（信号線Ｌｓの線間を適当な低インピーダンスを介して短絡して送出される信号）として返送するようになっている。尚、各端末器４，７では複極の伝送信号Ｖｓを整流することにより動作電源を得るようになっている。
【００２６】
伝送ユニット１から所望の端末器２Ｎ，４，７にデータを伝送する場合には、モードデータＭＤを制御モードとし、所望の端末器２Ｎ，４，７のアドレスをアドレスデータＡＤとする伝送信号Ｖｓを作成し、この伝送信号Ｖｓを伝送線Ｌｓ１に送出すれば、アドレスデータＡＤに一致する端末器２Ｎ，４，７が制御データＣＤを受け取り、制御データＣＤにパリティビットを付加した信号を信号返送期間ＷＴに返信する。伝送ユニット１では送出した信号と信号返送期間ＷＴにおける受信信号との一致によって制御データＣＤが所望の端末器２Ｎ，４，７に伝送されたことを確認する。また、制御用端末器２Ｎや操作用端末器４，７は受け取った制御データＣＤに従って制御動作を行う。
【００２７】
一方、伝送ユニット１は常時はモードデータＭＤをダミーモードとして或いは常時ポーリングとしてダミー用のアドレスに又は接続されている全端末器のアドレスに伝送信号Ｖｓを一定時間間隔で送出しており、端末器２Ｎ，４，７が伝送ユニット１に対して何らかの情報を伝送しようとするときには、ダミーモード或いはポーリング中の伝送信号ＶｓのスタートパルスＳＴに同期させて図２（ｂ）のような割込信号Ｖｉを発生させる。このとき、端末器２Ｎ，４，７は割込フラグを設定して伝送ユニット１との以後の情報授受に備える。伝送ユニット１では割込信号Ｖｉを受信すると、モードデータＭＤを割込ポーリングモードとし、且つアドレスデータＡＤの上位の半数のビット（アドレスデータＡＤを８ビットとすれば上位４ビット）を順次増加させながら伝送信号Ｖｓを送出する。割込信号Ｖｉを発生した端末器２Ｎ，４，７では、割込ポーリングモードの伝送信号Ｖｓに含まれるアドレスデータＡＤの上位４ビットが予め設定されているアドレスの上位４ビットに一致するときに、信号返送期間ＷＴにアドレスの下位の半数のビットを伝送ユニット１に返信する。このように、伝送ユニット１は割込信号Ｖｉを発生した端末器２Ｎ，４，７を１６個ずつまとめて探すので、比較的短い時間で端末器２Ｎ，４，７を発見することができる。伝送ユニット１が割込信号Ｖｉを発生した端末器２Ｎ，４，７のアドレスを獲得すると、モードデータＭＤを監視モードとし、アドレスデータＡＤを獲得したアドレスとした伝送信号Ｖｓを伝送線Ｌｓ１に送出し、これに対して端末器２Ｎ，４，７は伝送しようとする情報を信号返送期間ＷＴに返信するのである。最後に、伝送ユニット１は割込信号Ｖｉを発生した端末器２Ｎ，４，７に対して割込リセットを指示する信号を送出し、端末器２Ｎ，４，７の割込フラグを解除する。
【００２８】
以上のようにして、端末器２Ｎ，４，７から伝送ユニット１への情報伝送は、伝送ユニット１から端末器２Ｎ，４，７への４回の信号伝送（ダミーモード、割込ポーリングモード、監視モード、割込リセット）によって完了する。尚、伝送ユニット１が所望の端末器２Ｎ，４，７の動作状態を知ろうとするときには、モードデータＭＤを監視データとした伝送信号を送出するだけでよい。
【００２９】
而して、伝送ユニット１では、操作用端末器４，７に設けたスイッチが操作されると、操作用端末器４，７から返信された監視データに基づいて、操作されたスイッチとの対応関係が予め設定されている制御用端末器２Ｎに伝送する制御データを作成し、この制御データＣＤを含む伝送信号Ｖｓを伝送線Ｌｓ１に送出し、対応する制御用端末器２Ｎに制御データＣＤを伝送し、制御データＣＤに含まれるスイッチに対応した負荷番号のリレーを駆動して、その主開閉接点をオン又はオフさせることにより、照明負荷ＬN1〜ＬN4をオン又はオフさせたる。また、操作用端末器４，７に設けた別のスイッチが操作されると、前記のスイッチが操作されたときと同様に割込信号Ｖｉを送出し、伝送ユニット１の割り込みポーリングに応じてアドレス返信を行い、伝送ユニット１から割込み要求監視のアクセスに対応してスイッチの操作データを監視データとして伝送ユニット１へ返信する。
【００３０】
伝送ユニット１は割り込み処理後、操作されたスイッチに対応する負荷番号に対する制御データＣＤを対応する制御用端末器２Ｎをアクセスして伝送する。制御用端末器２Ｎは待機状態において、制御データＣＤを受信すると制御データの負荷番号に対応するリレー（図示せず）を上述と同様駆動する。ここに、１つのアドレス（端末器アドレス）に対応して例えば４つの負荷番号を設定できるようにしておけば、４つのスイッチで夫々対応する４つの負荷を制御駆動できる。
【００３１】
また制御用端末器２Ｎはリレーの動作状態を示す監視データを伝送ユニット１へ返信させるようになっており、伝送ユニット１はこの監視データに基づいて対応する操作用端末器４，７に対してリレーの負荷番号に対応するスイッチに付設している動作モニタ用発光ダイオード（図示せず）を点灯／消灯させる制御データＣＤを伝送し、この制御データＣＤを受け取った操作用端末器４，７では制御データに基づいて対応する負荷番号のスイッチに付設してある動作モニタ用発光ダイオードを点灯又は消灯させることにより、対応するリレーの動作状態、つまり負荷の動作状態を表示する。
【００３２】
上述のように、何れかの操作用端末器４，７でスイッチが操作されると、このスイッチと予め対応関係が設定された負荷（照明負荷ＬN1〜ＬN4）のオン又はオフが行えるのであるが、例えば火災などの緊急時に防災センターに設置された緊急用の操作用端末器７を用いて全ての部署にある照明負荷ＬN1〜ＬN4を点灯させるとともに、照明負荷ＬN1〜ＬN4の消灯操作を禁止したい場合は、優先度設定端末器８を用いて優先度の閾値「１」を伝送ユニット１に設定すれば良い。この場合、伝送ユニット１では、優先度が閾値以上のスイッチの操作入力のみを受け付け、優先度が閾値よりも低いスイッチの操作入力は破棄するので、本実施形態では任意部署用の操作用端末器４によるオン／オフ操作や、緊急用の操作用端末器７によるオフ操作が禁止され、緊急用の操作用端末器７によるオン操作のみが行えるようになる。すなわち、緊急時には各々の部署にある操作用端末器４で照明負荷ＬN1〜ＬN4が勝手に消灯されることはなく、また緊急用の操作用端末器７はオン操作のみが可能なので、誤って照明負荷ＬN1〜ＬN4の消灯操作が行われることがなく、消灯中の照明負荷ＬN1〜ＬN4の点灯操作のみが行えるようになっている。
【００３３】
優先度設定端末器８は、優先度の閾値を入力するための操作スイッチ（図示せず）を備え、当該操作スイッチが操作されると割込信号Ｖｉを送信し、上記の割込伝送処理を経て、閾値の入力データを伝送ユニット１に返送し、伝送ユニット１では優先度設定端末器８から入力された閾値「１」を図示しない記憶部に記憶させる。尚、上述のように任意部署用の操作用端末器４では各スイッチの優先度が「通常」に設定され、緊急用の操作用端末器７では各スイッチの優先度としてＯＮ操作の優先度が「１」に、ＯＦＦ操作の優先度が「通常」に設定されているものとする。
【００３４】
而して、操作用端末器４のスイッチが操作され、上記の伝送処理を経て、操作用端末器４からスイッチの操作データとその優先度「通常」が監視データとして伝送ユニット１に返送された場合、伝送ユニット１では、操作用端末器４からの監視データに含まれる優先度「通常」と、優先度設定端末器８により設定された優先度の閾値「１」とを比較し、監視データに含まれる優先度が閾値よりも低いので、操作用端末器４からの操作入力が破棄され、各部署に設置された操作用端末器４からの操作が禁止される。
【００３５】
また、緊急用の操作用端末器７のスイッチがオフ操作された場合、オフ操作に対しては優先度が「通常」に設定されているので、操作用端末器７からは、上記の伝送処理を経て、スイッチの操作データとその優先度「通常」が監視データとして伝送ユニット１に返送される。この時、伝送ユニット１では、操作用端末器７からの監視データに含まれる優先度「通常」と優先度の閾値「１」とを比較し、監視データに含まれる優先度が閾値よりも低いので、操作用端末器７からのオフ操作入力が破棄されて、緊急用の操作用端末器７からのオフ操作も禁止される。
【００３６】
一方、緊急用の操作用端末器７のスイッチがオン操作された場合、オン操作に対しては優先度が「１」に設定されているので、操作用端末器７からは、上記の伝送処理を経て、スイッチの操作データとその優先度「１」が監視データとして伝送ユニット１に返送される。この時、伝送ユニット１では、操作用端末器７からの監視データに含まれる優先度「１」と優先度の閾値「１」とを比較し、監視データに含まれる優先度が閾値以上となっているので、操作用端末器７からのオン操作入力を受け付ける。そして伝送ユニット１では、操作データに応じた制御データを作成し、対応する制御用端末器２Ｎに送信させるので、対応する照明負荷ＬＮ１をオンさせることができる。
【００３７】
このように本実施形態では、操作用端末器４，７のスイッチに個別に優先度と解除条件を設定するとともに、優先度設定端末器８を用いて伝送ユニット１に優先度設定情報を設定することによって、所望のスイッチのみ操作を可能にし、それ以外のスイッチの操作を無効にすることができる。
【００３８】
尚、本実施形態では緊急用の操作用端末器７のＯＮ操作のみを有効にしているが、ＯＦＦ操作のみ有効としたい場合は、スイッチの優先度を「１」、解除条件を「ＯＮ」に設定すれば良く、この場合はＯＮ操作に対する優先度が「通常」に設定され、ＯＦＦ操作に対する優先度が「１」に設定されるので、伝送ユニット１に優先度「１」が設定されている場合はＯＦＦ操作のみを有効にできる。またＯＮ操作、ＯＦＦ操作の両方を有効にしたい場合は、各操作用端末器４，７のスイッチに対して優先度のみを設定し、解除条件を設定しなければ良い。
【００３９】
また本実施形態では、優先度設定端末器８を用いて優先度の閾値を設定しているが、操作を有効にする全ての閾値を伝送ユニット１に設定しても良い。この場合、伝送ユニット１では、操作用端末器から送信された監視データに含まれる優先度と、優先度設定端末器８を用いて設定された優先度とを比較し、監視データに含まれる優先度が、設定された優先度に一致しない場合は、操作用端末器からの操作入力が破棄され、一致する場合は操作用端末器からの操作入力に基づいて制御データを作成し、この制御データを対応する制御用端末器に伝送する。
【００４０】
（実施形態２）
本発明の実施形態２を図３に基づいて説明する。本実施形態の遠隔監視制御システムは、オフィスビルなどで部署毎に設置された照明負荷の制御及び監視を行うシステムであり、伝送ユニット１に、スイッチの操作状態をそれぞれ監視する操作用端末器３，４，７と、部署ＤＮ（Ｎ＝１…ｎ、以下同じ）毎に設けた分電盤ＣＮ（Ｎ＝１…ｎ、以下同じ）内にそれぞれ設置され、対応する部署ＤＮの照明負荷ＬN1〜ＬN4（Ｎ＝１…ｎ、以下同じ）の点灯／消灯をそれぞれ制御する複数台の制御用端末器２Ｎ（Ｎ＝１…ｎ、以下同じ）と、伝送ユニット１に対して優先度を設定するための優先度設定端末器８とを２線式の伝送線Ｌｓ１を介して接続してある。尚、操作用端末器３以外の構成は実施形態１と同様であるので、共通する構成要素には同一の符号を付して、その説明は省略する。
【００４１】
操作用端末器３は、例えば管理人室に設置されて、管理人室から所定の部署ＤＮ（Ｎ＝１〜ｎ）の照明負荷ＬN1〜ＬN4をオン／オフするための操作スイッチＳ11〜Ｓ14の操作状態を監視する。
【００４２】
ここにおいて、各端末器２Ｎ，３，４，７には固有のアドレスが設定されており、伝送ユニット１はアドレスによって各端末器２Ｎ，３，４，７を個別に認識する。また制御用端末器２Ｎは、対応する照明負荷ＬN1〜ＬN4への電力供給をそれぞれオン／オフする内部リレー（図示せず）を４個備え、個々の内部リレーに１〜４までの負荷番号を設定してある。すなわち制御用端末器２Ｎに割り当てたアドレス（端末器アドレス）に対して４個の負荷番号を割り当てることができ、アドレスと負荷番号とを組み合わせた負荷識別アドレスによって、個々の内部リレーを特定し、内部リレーを個別にオン／オフできるようになっている。一方、操作用端末器３，４，７がそれぞれ備える４個の操作スイッチにも１〜４までの負荷番号が割り当てられており、操作用端末器３，４，７に割り当てたアドレス（端末器アドレス）と、各操作スイッチに割り当てた負荷番号とで負荷識別アドレスを構成してある。而して、操作用端末器３，４，７が備える４つのスイッチで、夫々対応する制御用端末器２Ｎの４個の内部リレーをオン／オフ駆動し、対応する照明負荷ＬN1〜ＬN4を点灯又は消灯させている。
【００４３】
また、従来周知のワイヤレス設定器９を用いて各操作用端末器３，４，７のスイッチに優先度が設定されており、管理人用の操作用端末器３では、表３に示すように個別スイッチＳ11〜Ｓ14に対してアドレス（負荷番号）１〜４が割り当てられ、各スイッチの優先度は「２」に設定されている。また任意部署用の操作用端末器４では、表４に示すように個別スイッチＢ11〜Ｂ14に対してアドレス（負荷番号）１〜４が割り当てられ、各スイッチの優先度は「通常」に設定されている。また更に、緊急用の操作用端末器７では、表５に示すように個別スイッチＳ11〜Ｓ14に対してアドレス（負荷番号）１〜４が割り当てられ、各スイッチの優先度は「１」に設定されている。尚、優先度は通常に設定された場合が最も優先度合いが低く、その値が大きいほど優先度合いが高くなっている。
【００４４】
【表３】
2010010973.tif 000005
【００４５】
【表４】
2010010973.tif 000006
【００４６】
【表５】
2010010973.tif 000007
【００４７】
上述の実施形態１では、優先度の低いスイッチの操作を無効にするため、伝送ユニット１において、操作用端末器から送信された監視データに含まれる優先度と、優先度設定端末器８により設定された優先度設定情報とを比較することで、この操作入力が有効であるか無効であるかを判断しているのに対して、本実施形態では、スイッチの操作が有効か無効かの判断を操作用端末器側で行っている。
【００４８】
すなわち、伝送ユニット１では、常時ポーリングを行う際に優先度設定端末器８により設定された優先度設定情報Ｐ１（例えば優先度の閾値）を伝送信号に含めて伝送線Ｌｓ１に定期的に送出している。
【００４９】
そして、各操作用端末器３，４，７ではスイッチが操作されると、このスイッチに設定された優先度を、伝送ユニット１から送出された伝送信号に含まれる優先度設定情報（優先度の閾値）と比較し、操作が有効な場合のみ割込信号Ｖｉを発生し、上述の割込処理を経た後、操作データを監視データとして伝送ユニット１に送信しているので、操作が有効なスイッチの操作時のみ監視データを伝送ユニット１に送信することで、操作が無効なスイッチの操作によって負荷がオン又はオフされるのを防止できる。
【００５０】
ここで、優先度設定端末器８において優先度の閾値を入力するための操作スイッチが操作されると、優先度設定端末器８が割込信号Ｖｉを送信し、上記の割込伝送処理を経て、閾値の入力データが伝送ユニット１に返送される。この時、伝送ユニット１では優先度設定端末器８から入力された閾値「１」を図示しない記憶部に記憶させ、常時ポーリングを行う際に優先度設定端末器８により設定された優先度の閾値「１」を伝送信号に含めて伝送線Ｌｓ１に定期的に送出する。尚、上述のように管理人用の操作用端末器３では各スイッチＳ11〜Ｓ14の優先度が「２」に設定され、任意部署用の操作用端末器４では各スイッチＢ11〜Ｂ14の優先度が「通常」に設定され、緊急用の操作用端末器７では各スイッチＳ11〜Ｓ14の優先度が「１」に設定されているものとする。
【００５１】
各操作用端末器３，４，７では、スイッチが操作されると、伝送線Ｌｓ１を介して伝送される伝送信号を受信して伝送信号から優先度の閾値（優先度設定情報）を取り込み、操作されたスイッチの優先度と閾値との高低を比較する。そして、各操作用端末器３，４，７では、操作されたスイッチの優先度が閾値よりも低い場合は、伝送ユニット１に操作信号を返送せず、操作されたスイッチの優先度が閾値以上の場合のみ、割込信号を発生し上記の割込処理を経た後に、操作データを監視データとして伝送ユニット１に返送する。そして、伝送ユニット１では、操作用端末器３，４，７から監視データを受け取ると、監視データに含まれる操作データに基づいて制御データを作成し、送信元の操作用端末器３，４，７と予め対応関係が設定された制御用端末器２Ｎに送信するので、優先度が閾値よりも低いスイッチの操作は無効にし、優先度が閾値以上のスイッチの操作のみを有効にできる。尚、優先度の閾値が「１」に設定されている場合は、優先度が「２」に設定された管理人用の操作用端末器３と、優先度が「１」に設定された緊急用の操作用端末器７のスイッチ操作のみが有効となり、任意の部署用の操作用端末器４のスイッチ操作を無効にできる。
【００５２】
また各操作用端末器３，４，７では、スイッチが操作された場合でも、スイッチに設定された優先度と、伝送ユニット１から送信される優先度設定情報とを比較して操作が有効と判断した場合のみ伝送ユニット１に監視データを返送しているので、操作が無効な場合はスイッチが操作されても監視データが返送されないから、無駄な通信を無くして伝送ユニット１の負荷を軽減できるとともに、通信トラフィックの増加を抑制することができる。
【００５３】
尚、本実施形態では優先度設定端末器８を用いて伝送ユニット１に優先度の閾値を設定しているので、常時ポーリングにおいて伝送ユニット１から送信される優先度のデータは閾値のデータだけで済むが、図４に示すように優先度設定端末器８を用いて伝送ユニット１に、操作を有効にする全ての優先度Ｐ１（＝１），Ｐ２（＝２）を設定し、伝送ユニット１から常時ポーリングにおいて操作が有効な全ての優先度Ｐ１，Ｐ２を含む伝送信号を伝送線Ｌｓ１に送出させるようにしても良い。
【００５４】
この場合、各操作用端末器３，４，７では、スイッチが操作されると、伝送線Ｌｓ１を介して伝送される伝送信号を受信して伝送信号から操作が有効な優先度Ｐ１，Ｐ２を取り込み、操作されたスイッチの優先度と、操作が有効な優先度Ｐ１，Ｐ２とを比較する。そして、各操作用端末器３，４，７では、操作されたスイッチの優先度が、伝送信号により送信された優先度の何れにも一致しない場合は、伝送ユニット１に操作信号を返送せず、操作されたスイッチの優先度が、伝送信号により送信された優先度の何れかと一致する場合のみ、割込信号を発生し上記の割込処理を経た後に、操作データを監視データとして伝送ユニット１に返送する。そして、伝送ユニット１では、操作用端末器３，４，７から監視データを受け取ると、監視データに含まれる操作データに基づいて制御データを作成し、送信元の操作用端末器と予め対応関係が設定された制御用端末器２Ｎに制御データを送信するので、優先度設定端末器８により設定された優先度の何れにも一致しないスイッチの操作は無効にし、設定された優先度の何れかに一致したスイッチの操作のみを有効にでき、所望のスイッチの操作のみを受け付けることが可能になる。尚、有効な優先度として「１」及び「２」が設定されている場合は、優先度が「２」に設定された管理人用の操作用端末器３と、優先度が「１」に設定された緊急用の操作用端末器７の操作のみが有効となり、任意の部署用の操作用端末器４の操作を無効にできる。また有効な優先度として「２」のみが設定された場合は、優先度が「２」に設定された管理人用の操作用端末器３の操作のみが有効となり、任意の部署用の操作用端末器４や緊急用の操作用端末器７の操作は無効になる。
【図面の簡単な説明】
【００５５】
【図１】実施形態１の遠隔監視制御システムのシステム構成図である。
【図２】（ａ）（ｂ）は同上に用いる伝送信号の波形図である。
【図３】実施形態２の遠隔監視制御システムのシステム構成図である。
【図４】同上の他の優先度設定方法を説明するシステム構成図である。
【図５】従来の遠隔監視制御システムのシステム構成図である。
【図６】従来の遠隔監視制御システムの別構成を示すシステム構成図である。
【符号の説明】
【００５６】
１       伝送ユニット
２Ｎ（Ｎ＝１〜ｎ）  制御用端末器
４，７   操作用端末器
８       優先度設定端末器
ＢN1〜ＢN4（Ｎ＝１〜ｎ）  スイッチ
Ｌｓ１   伝送線
ＬN1〜ＬN4（Ｎ＝１〜ｎ）  照明負荷
【図１】
2010010973.tif 000008
【図２】
2010010973.tif 000009
【図３】
2010010973.tif 000010
【図４】
2010010973.tif 000011
【図５】
2010010973.tif 000012
【図６】
2010010973.tif 000013